(57)【要約】  【課題】  効率的に券銭を分離できる券銭分離装置を提供する。  【解決手段】投入口１０から投入された硬貨５０は紙券類排出口１１内を降下し、回転ドラム２内に入り下端２９方向に降下し、ガイド板２１により硬貨排出口２０方向に寄せられ、硬貨排出口２０から排出される。投入口１０から投入された紙券類５１は、サブファン６からの送気により浮遊し、メインファン５からの送気により紙券類排出口１１の方向に吹き上げられ、紙券類排出口１１から排出される。紙券類５１はサブファン６により浮遊している状態でメインファン５からの送気を受けるから、比較的弱い風圧でも、効率的に紙券類排出口１１方向に送られる。【選択図】  図１
2008158703.tif 000002
【特許請求の範囲】
【請求項１】
所定の角度で傾斜して設置された、硬貨と紙券類が投入される固定パイプと、
該固定パイプに内部が連通し、所定の角度で傾斜して設置される回転ドラムと、
前記回転ドラムの下側から前記固定パイプの上側に向けて送気する第１の送気装置と、
前記固定パイプ内で紙券類を浮遊させる第２の送気装置と、
前記回転ドラムの下端に設けられ、硬貨を排出するための硬貨排出口と、
前記固定パイプの上端に設けられ、紙券類を排出するための紙券類排出口と、
を有することを特徴とする券銭分離装置。
【請求項２】
前記第２の送気装置は、前記固定パイプの下側に設けられ、
前記固定パイプの下側には、第２の送気装置の送気を通過させる孔を設けた孔部が形成されている、
請求項１の券銭分離装置。
【請求項３】
前記回転ドラム内に、前記硬貨排出口に硬貨を寄せるためのガイド板を設けた、
請求項１の券銭分離装置。
【発明の詳細な説明】
【技術分野】
【０００１】
この発明は、券銭装置に関する。
【背景技術】
【０００２】
バス等の料金箱には、硬貨に加えて切符などの紙券類が投入される。これらの硬貨及び紙券類は最終的に金庫に収納され、係員がこの金庫を精算機にかけて精算するシステムになっている。精算機には券銭分離装置が備えられており、硬貨と紙券類を分類するようになっている。
この券銭分離装置には、種々の構造のものがあり、例えば一対のローラを使用し、券類のみをローラを通過させて券類と硬貨を分離するもの（文献１）や、回転盤を使用するもの（文献２）などがある。また文献２の従来技術として記載されているように、網ベルトを２段配設し、下側の網ベルトに紙券と硬貨が混在したものを投入して、該網ベルトの下側から送気し、紙券類のみを上側のベルトに付着させて分離する構成や、硬貨が通過する穴のあいた円筒により硬貨のみを外側の円筒に落下させ、紙券類は送気により円筒から排出するように構成された構成のものが知られている。
【０００３】
【特許文献１】特開２００３−２２３６５７号
【特許文献２】特開平７−１６０９２１号
【発明の開示】
【発明が解決しようとする課題】
【０００４】
しかし、前記したローラを用いたものは、紙券類がローラに詰まるなどの問題がある。また、送気のみにより分離する構成のものは、送気装置に大きなものが必要である上、送気に伴う騒音などの問題もあった。
本発明は上記従来技術の問題を解決することを目的とする。
【課題を解決するための手段】
【０００５】
上記目的を達成するために、本発明の券銭分離装置は、所定の角度で傾斜して設置された、硬貨と紙券類が投入される固定パイプと、該固定パイプに内部が連通し、所定の角度で傾斜して設置される回転ドラムと、前記回転ドラムの下側から前記固定パイプの上側に向けて送気する第１の送気装置と、前記固定パイプ内で紙券類を浮遊させる第２の送気装置と、前記回転ドラムの下端に設けられ、硬貨を排出するための硬貨排出口と、前記固定パイプの上端に設けられ、紙券類を排出するための紙券類排出口と、を有することを特徴とする。
【発明の効果】
【０００６】
本発明の券銭分離装置によれば、固定パイプと回転ドラムの傾斜による硬貨の分離と、送気による紙券類の分離という２つの手段による分離を行うため、効率的で確実な分離が可能である。また第１と第２の送気装置を用い、第２の送気装置で紙券類を浮遊させて第１の送気装置で排出するので、送気による分離が効率的に行え、大きな送気装置を必要としない。そのため、騒音を減少でき、また装置を小型化することができる等の効果がある。
【発明を実施するための最良の形態】
【０００７】
以下本発明の実施の形態を図面に基づいて説明する。
図１は、本発明の券銭分離装置の主要部を示す概略斜視図である。
この券銭分離装置Ａは、固定パイプ１と回転ドラム２とを備えている。固定パイプ１と回転ドラム２はほぼ同径の筒形状をなしており、図２に示すように斜めに傾斜して設置されている。固定パイプ１の傾斜は回転ドラム２の傾斜よりも大きく設定されている。
【０００８】
固定パイプ１は回転ドラム２と連結されており、これらで一体の筒状体を形成している。回転ドラム２の下端２９側にはメインファン５が設けられており、回転ドラム２の内部下側から固定パイプ１の内部上側まで空気を送るように構成されている。この送気により、紙券類５１が固定パイプ１の上端１９側の紙券類排出口１１から排出されるように構成されている。
【０００９】
固定パイプ１は非回転であり、回転ドラム２は所定の動力装置（図示せず）により回転するように構成されている。
固定パイプ１には投入口１０が形成され、この投入口１０から硬貨５０と紙券類５１が投入されるようになっている。固定パイプ１と回転ドラム２は前記したように傾斜しているため、投入口１０から投入された硬貨５０は回転ドラム２の下端２９方向に降下し、紙券類５１はメインファン５の送気の風圧により紙券類排出口１１方向に送られるように構成されている。
【００１０】
固定パイプ１の下側は孔部１２になっており、多数の孔があけられている。該孔は硬貨５０が通過できない大きさとしてある。固定パイプ１の下にはサブファン６が設けられており、このサブファン６からの送気により、紙券類５１は固定パイプ１の内側に張り付くことがなく、固定パイプ１内に浮遊し、メインファン５からの送気により効果的に紙券類排出口１１方向に送られて紙券類排出口１１外に排出されるようになっている。
【００１１】
図３に示すように、回転ドラム２は図示しない動力装置により一方向に回転するように構成されている。回転ドラム２の内部にはガイド板２１が等間隔で４枚設けられている。ガイド板２１は回転ドラム２の内部の外側面から回転ドラム２の中心に向かって半径方向に立設されている。
また回転ドラム２の下端２９側には、硬貨排出口２０が４カ所等間隔に設けられており、この硬貨排出口２０から硬貨５０を排出するように構成されている。硬貨排出口２０は図３に示すように、ガイド板２１とガイド板２１の中間位置に設けられており、このガイド板２１により硬貨５０は硬貨排出口２０方向に集められるようになっている。
硬貨排出口２０は、硬貨を通過させる大きさを有し、且つ紙券類５１の長手方向の長さを通過させない大きさになっている。
【００１２】
硬貨排出口２０の外側には門型の紙券類防止板２２が形成され、この紙券類防止板２２により紙券類５１が硬貨排出口２０から排出されるのを防止している。
前記したように硬貨排出口２０は紙券類５１の長手方向の長さを通過させない大きさになっているが、紙券類５１が短手方向、すなわち縦に入ってきた場合、該紙券類５１が紙券類防止板２２に引っ掛かり、すり抜けることがないように構成されている。紙券類防止板２２に引っ掛った紙券類５１は、回転ドラム２の回転により回転ドラム２内に落下する。
【００１３】
回転ドラム２の下端２９には孔あき蓋２３が設けられている孔あき蓋２３には多数の孔が設けられ、メインファン５からの送気を阻害しないようになっている。孔あき蓋２３の孔は硬貨５０が通過できない大きさになっている。
【００１４】
以上の構成において、投入口１０から投入された硬貨５０と紙券類５１は紙券類排出口１１内に落下する。硬貨５０は傾斜している紙券類排出口１１内を降下していき、回転ドラム２内に入る。回転ドラム２も傾斜しているため、硬貨５０は下端２９方向に降下する。回転ドラム２は回転しているため、硬貨５０は回転ドラム２の内側に張り付いたり、係止されたりすることなく、円滑に降下する。またガイド板２１により、硬貨排出口２０方向に寄せられ、硬貨排出口２０から排出される。
【００１５】
一方、紙券類５１は、サブファン６からの送気により浮遊し、この状態でメインファン５からの送気により紙券類排出口１１の方向に吹き上げられ、紙券類排出口１１から排出される。紙券類５１はサブファン６により浮遊している状態でメインファン５からの送気を受けるから、比較的弱い風圧でも、効率的に紙券類排出口１１方向に送られる。
また、何らかの理由で紙券類５１が回転ドラム２に入り、硬貨排出口２０から出ようとしても、紙券類防止板２２により外に排出されることが抑制される。
【図面の簡単な説明】
【００１６】
【図１】本発明の一実施形態を示す斜視図。
【図２】本発明の一実施形態を示す側面図。
【図３】本発明の一実施形態を示す断面図。
【符号の説明】
【００１７】
１：固定パイプ、２：回転ドラム、５：メインファン、６：サブファン、１０：投入口、１１：紙券類排出口、１２：孔部、１９：上端、２０：硬貨排出口、２１：ガイド板、２２：紙券類防止板、２３：孔あき蓋、２９：下端、５０：硬貨、５１：紙券類。
【図１】
2008158703.tif 000003
【図２】
2008158703.tif 000004
【図３】
2008158703.tif 000005